(57)【要約】【課題】製造時あるいはメンテナンス時の作業性を向上させる。【解決手段】空気調和装置の室外ユニットは、そのケーシングの内部空間が、圧縮機１１が配置される第１空間Ｓ１と、室外ファン１３が配置される第２空間Ｓ２とに仕切られている。圧縮機１１、ガス側閉鎖弁３０および右側板８４は、正面視において、圧縮機１１、ガス側閉鎖弁３０、右側板８４の順に配置されている。圧縮機１１とガス側閉鎖弁３０との間に配置される第１冷媒配管５０は、第１部５１と、第１曲がり部５１Ｒと、第２部５２と、を有している。第１部５１は、右側板８４に沿って延びる。第１曲がり部５１Ｒは、第１部５１の端から延びて、右側板８４側を向くように曲がっている。第２部５２は、第１曲がり部５１Ｒの第１部５１の側とは反対側の端から、右側板８４に向かって延びる。【選択図】図４
2019120450.tif 000002
【特許請求の範囲】
【請求項１】
閉鎖弁（３０）と、圧縮機（１１）と、熱交換器（１２）と、前記閉鎖弁（３０）と前記圧縮機（１１）との間に位置する第１冷媒配管（５０）と、を有する冷媒回路（９０）と、
前記熱交換器（１２）に空気を通すためのファン（１３）と、
側板（８４）を有し、前記冷媒回路（９０）および前記ファン（１３）を収容する、ケーシング（８０）と、
前記ケーシング（８０）の内部空間を、前記圧縮機（１１）が配置される前記側板（８４）の側の第１空間（Ｓ１）と、前記ファン（１３）が配置される第２空間（Ｓ２）とに仕切る、仕切り板（８８）と、
を備え、
前記ファン（１３）は、前記熱交換器（１２）を通った空気を、前記ケーシング（８０）の正面側に吹き出し、
前記圧縮機（１１）、前記閉鎖弁（３０）および前記側板（８４）は、正面視において、前記圧縮機（１１）、前記閉鎖弁（３０）、前記側板（８４）の順に配置され、
前記第１冷媒配管（９０）は、
前記側板（８４）に沿って延びる第１部（５１）と、
前記第１部（５１）の端（５１ｂ）から延びて、前記側板（８４）側を向くように曲がっている、第１曲がり部（５１Ｒ）と、
前記第１曲がり部（５１Ｒ）の前記第１部（５１）の側とは反対側の端（５１Ｒｂ）から、前記側板（８４）に向かって延びる、第２部（５２）と、
を有している、
冷凍装置（１００）の熱源ユニット（１０）。
【請求項２】
前記第１冷媒配管（５０）は、
前記第２部（５２）の前記第１曲がり部（５１Ｒ）の側とは反対側の端（５２ｂ）から延びる、第２曲がり部（５２Ｒ）と、
前記第２曲がり部（５２Ｒ）の前記第２部（５２）の側とは反対側の端（５２Ｒｂ）から、前記側板（８４）に近づかないように延びる、第３部（５３）と、
をさらに有している、
請求項１に記載の冷凍装置の熱源ユニット（１０）。
【請求項３】
前記第３部（５３）は、前記第２曲がり部（５２Ｒ）の端（５２Ｒｂ）から上に向かって、前記側板（８４）に沿って延びる、
請求項２に記載の冷凍装置の熱源ユニット（１０）。
【請求項４】
前記圧縮機（１１）の周りに配置される防音材（６１，６２）、
をさらに備え、
前記防音材（６１，６２）の一部が、前記圧縮機（１１）と前記第３部（５３）との間に位置する、
請求項２又は３に記載の冷凍装置の熱源ユニット（１０）。
【請求項５】
前記第１冷媒配管（５０）は、
前記第３部（５３）の前記第２曲がり部（５２Ｒ）の側とは反対側の端（５３ｂ）から延びる、第３曲がり部（５３）と、
前記第３曲がり部（５３Ｒ）の前記第３部（５３）の側とは反対側の端（５３Ｒｂ）から、前記側板（８４）から離れるように延びる、第４部（５４）と、
をさらに有している、
請求項２から４のいずれかに記載の冷凍装置の熱源ユニット（１０）。
【請求項６】
前記第１部（５１）は、前記閉鎖弁（３０）から、前記側板（８４）に沿って前後方向に延びている、
請求項１から５のいずれかに記載の冷凍装置の熱源ユニット（１０）。
【請求項７】
前記冷媒回路（９０）は、前記圧縮機（１１）と前記第１冷媒配管（５０）との間に位置する第１冷媒容器（４１）、をさらに有し、
前記圧縮機（１１）、前記第１冷媒容器（４１）、前記閉鎖弁（３０）および前記側板（８４）は、正面視において、前記圧縮機（１１）、前記第１冷媒容器（４１）、前記閉鎖弁（３０）、前記側板（８４）の順に配置されている、
請求項１から６のいずれかに記載の冷凍装置の熱源ユニット（１０）。
【発明の詳細な説明】
【技術分野】
【０００１】
冷凍装置の熱源ユニット
【背景技術】
【０００２】
従来、閉鎖弁と、圧縮機と、熱交換器と、を有する冷媒回路は公知である。特許文献１（実開平２−７０１３６号公報）には、圧縮機や、その圧縮機に接続される冷媒配管を備える空調機の室外ユニットが記載されている。
【発明の概要】
【発明が解決しようとする課題】
【０００３】
空調機の室外ユニットのような、冷凍装置の熱源ユニットでは、小型化が求められている。
【０００４】
しかし、熱源ユニットのケーシングが小さくなると、ケーシングの内部空間も狭くなり、圧縮機と配管の間の隙間が狭くなる傾向がある。このような場合、例えば、圧縮機の周りに防音材を巻くときに、その作業を行い難いという問題が生じる。
【０００５】
本開示は、冷凍装置の熱源ユニットにおいて、製造時あるいはメンテナンス時の作業性を向上させることを課題とする。
【課題を解決するための手段】
【０００６】
第１観点の冷凍装置の熱源ユニットは、冷媒回路と、ファンと、ケーシングと、仕切り板と、を備える。冷媒回路は、閉鎖弁と、圧縮機と、熱交換器と、第１冷媒配管と、を有する。第１冷媒配管は、閉鎖弁と圧縮機との間に位置する。ケーシングは、ファンと、側板と、を有する。ケーシングは、冷媒回路およびファンを収容する。ファンは、熱交換器に空気を通すためのものである。仕切り板は、ケーシングの内部空間を、圧縮機が配置される第１空間と、ファンが配置される第２空間と、に仕切る。仕切り板によって仕切られたケーシングの内部空間のうち、第１空間は、側板の側の空間である。ファンは、熱交換器を通った空気をケーシングの正面側に吹き出す。圧縮機、閉鎖弁および側板は、正面視において、圧縮機、閉鎖弁、側板の順に配置されている。第１冷媒配管は、第１部と、第１曲がり部と、第２部と、を有している。第１部は、側板に沿って延びる。第１曲がり部は、第１部の端から延びて、側板側を向くように曲がっている。第２部は、第１曲がり部の第１部の側とは反対側の端から、側板に向かって延びる。
【０００７】
ここでは、第１冷媒配管が上記のような形状を取ることにより、圧縮機と第１冷媒配管の間の隙間は広くなる。この隙間が広くなることにより、圧縮機の周囲に防音材を巻くなどの作業が容易になる。すなわち、第１観点の冷凍装置の熱源ユニットでは、製造時あるいはメンテナンス時の作業性が向上する。
【０００８】
第２観点の冷凍装置の熱源ユニットは、第１観点の熱源ユニットであって、第１冷媒配管は、さらに、第２曲がり部と、第３部と、を有する。第２曲がり部は、第２部の第１曲がり部の側とは反対側の端から延びる。第３部は、第２曲がり部の第２部の側とは反対側の端から、側板に近づかないように延びる。
【０００９】
ここでは、第１冷媒配管が、第１曲がり部、第２部、および第２曲がり部を有するので、第３部を圧縮機から離して側板に近づけることができる。
【００１０】
第３観点の冷凍装置の熱源ユニットは、第２観点の熱源ユニットであって、第３部は、第２曲がり部の端から上に向かって、側板に沿って延びる。
【００１１】
ここでは、第１部も第３部も側板に沿って延びる。しかし、第１冷媒配管が、第１曲がり部、第２部、および第２曲がり部を有するので、第３部を圧縮機から離して側板に近づけることができる。
【００１２】
第４観点の冷凍装置の熱源ユニットは、第２観点又は第３観点の熱源ユニットであって、圧縮機の周りに配置される防音材、をさらに備える。防音材の一部は、圧縮機と第３部との間に位置する。
【００１３】
ここでは、防音材の一部が圧縮機と第３部との間に位置するが、第３部を圧縮機から離して側板に近づけることができるため、熱源ユニットの製造時あるいはメンテナンス時に、防音材を付けたり外したりする作業が容易になる。
【００１４】
第５観点の冷凍装置の熱源ユニットは、第２観点から第４観点のいずれかの熱源ユニットであって、第１冷媒配管は、さらに、第３曲がり部と、第４部と、を備える。第３曲がり部は、第３部の第２曲がり部の側とは反対側の端から延びる。第４部は、第３曲がり部の第３部の側とは反対側の端から、側板から離れるように延びる。
【００１５】
第６観点の冷凍装置の熱源ユニットは、第１観点から第５観点のいずれかの熱源ユニットであって、第１部は、閉鎖弁から、側板に沿って前後方向に延びる。
【００１６】
ここでは、閉鎖弁から第１部が前後方向に延びるような構成を採る熱源ユニットにおいても、第１曲がり部を設け、第２部を側板に向かって延ばすことで、第３部を圧縮機から離して側板に近い位置に配置することができる。
【００１７】
第７観点の冷凍装置の熱源ユニットは、第１観点から第６観点のいずれかの熱源ユニットであって、冷媒回路は、さらに、第１冷媒容器を備える。第１冷媒容器は、圧縮機と第１冷媒配管との間に位置する。正面視において、圧縮機、第１冷媒容器、閉鎖弁および側板は、圧縮機、第１冷媒容器、閉鎖弁、側板の順に配置される。
【００１８】
ここでは、圧縮機と側板との間に、さらに第１冷媒容器が存在する。しかし、第３部を圧縮機から離して側板に近い位置に配置することができるため、第１冷媒容器と第１冷媒配管との間の隙間も広くなり、製造時あるいはメンテナンス時の作業性が向上する。
【図面の簡単な説明】
【００１９】
【図１】空気調和装置の配管系統図である。
【図２】熱源ユニットの正面図である。
【図３】熱源ユニットの平面図である。
【図４】熱源ユニットの一部を拡大した正面図である。
【図５】熱源ユニットの第１冷媒配管の近傍の構造を示す斜視図である。
【図６】熱源ユニットの第１冷媒配管の拡大斜視図である。
【図７】圧縮機とアキュムレータに防音材を巻いた状態を示す概念図である。
【発明を実施するための形態】
【００２０】
（１）空気調和装置の全体構成
図１を用いて、本実施形態の冷凍装置である空気調和装置１００の全体構成について説明する。なお、図１では、空気調和装置１００の全体構成を、配管系統図によって表している。
【００２１】
図１に示すように、空気調和装置１００は、蒸気圧縮式冷凍サイクルを用いて、建物等の室内の冷房を行う装置である。空気調和装置１００は、冷房専用装置とされている。空気調和装置１００は、熱源ユニットとしての室外ユニット１０と、室内ユニット２０と、を備えている。
【００２２】
室外ユニット１０と室内ユニット２０と、はガス冷媒連絡配管１８と液冷媒連絡配管１９とによって接続されている。
【００２３】
（１−１）室外ユニット
室外ユニット１０は、建物の外に設けられている。室外ユニット１０の冷媒回路９０は、ガス冷媒連絡配管１８及び液冷媒連絡配管１９を介して、室内ユニット２０に接続されている。
【００２４】
室外ユニット１０は、圧縮機１１と、室外熱交換器１２と、室外ファン１３と、室外ファン電動機１４と、ガス側閉鎖弁３０と、液側閉鎖弁３１と、第１冷媒容器としての第１アキュムレータ４１と、第２アキュムレータ４２と、を備えている。
【００２５】
圧縮機１１は、冷媒ガスを低圧から高圧にして送り出す。圧縮機１１の吸入側には、第１アキュムレータ４１と、第２アキュムレータ４２と、が接続されている。
【００２６】
圧縮機１１の吐出側には、室外熱交換器１２が接続されている。室外熱交換器１２は、空気と冷媒とを熱交換させ、冷媒ガスを冷媒液に凝縮する。室外ファン１３は、室外ファン電動機１４によって駆動され、室外熱交換器１２に対し風を通す。
【００２７】
室外ユニット１０の冷媒回路９０は、圧縮機１１、室外熱交換器１２、第１アキュムレータ４１及び第２アキュムレータ４２と、それらを結ぶ冷媒配管５０，９２〜９５とから成る。第２アキュムレータ４２と、ガス側閉鎖弁３０と、は第１冷媒配管５０によって接続されている。ガス側閉鎖弁３０及び液側閉鎖弁３１は、手動弁である。
【００２８】
（１−２）室内ユニット
室内ユニット２０は、建物の中に設けられている。例えば、工場の中の大きな空間に、多数の室内ユニット２０が設置される。
【００２９】
室内ユニット２０は、電子膨張弁２１と、室内熱交換器２２と、室内ファン２３と、を備えている。
【００３０】
電子膨張弁２１は、液冷媒を膨張させ、気液混合冷媒とする。室内熱交換器２２は、空気と冷媒とを熱交換させ、気液混合冷媒を冷媒ガスに蒸発させる。室内ファン２３は、室内ファン電動機２４によって駆動され、室内熱交換器２２に空気が通る状態にする。
【００３１】
（２）冷房運転
図１を用いて、空気調和装置１００の冷房運転時の動作について説明する。
【００３２】
圧縮機１１によって圧縮された高温かつ高圧の冷媒ガスは、室外熱交換器１２に向かって流れる。室外熱交換器１２において、高温かつ高圧の冷媒ガスは、空気によって熱を奪われ、冷媒液に凝縮される。凝縮した冷媒液は、液冷媒連絡配管１９を経由して電子膨張弁２１に向かって流れる。
【００３３】
冷媒液は、電子膨張弁２１によって、気液混合冷媒に膨張される。気液混合冷媒は、液冷媒連絡配管１９を経由して室内熱交換器２２に向かって流れる。室内熱交換器２２において、気液混合冷媒は、空気によって熱が与えられ、冷媒ガスに蒸発される。蒸発された冷媒ガスは、ガス冷媒連絡配管１８を経由して圧縮機１１に吸入される。
【００３４】
（３）室外ユニットの詳細構成
図２〜図７を用いて、室外ユニット１０の詳細構成について説明する。
【００３５】
以下、説明を分かり易くするため、図２及び図３に示す幅方向、奥行方向及び高さ方向に従って説明する。奥行き方向では、室外ファン１３が空気を吹き出す側を正面側とし、幅方向では、室外ユニット１０の正面視における左右を、そのまま左側、右側として定義する。
【００３６】
室外ユニット１０の上述の各部品は、ケーシング８０によって覆われている。この室外ユニット１０は、トランク型と呼ばれる形をしており、空気が背面及び左側面から吸い込まれ、正面側に空気が吹き出される。ケーシング８０は、底板８１と、天井板８２と、左側板８３と、右側板８４と、前板８５と、後板８６と、吹き出しグリル８７と、を備えている。ケーシング８０の正面は、前板８５と、吹き出しグリル８７と、から構成されている。ケーシング８０の背面は、室外熱交換器１２と、後板８６と、から構成されている。
【００３７】
ケーシング８０の内部は、仕切り板８８によって、第１空間Ｓ１と第２空間Ｓ２とに仕切られている。仕切り板８８は、底板８１に立設されている。
【００３８】
第１空間Ｓ１には、第１〜第５冷媒配管５０，９２〜９５と、圧縮機１１と、室外熱交換器１２と、第１アキュムレータ４１と、第２アキュムレータ４２と、第１防音材６１と、第２防音材６２と、が収納されている。
【００３９】
圧縮機１１の３つの脚は、底板８１に防振ゴム１５を介して固定されている。第１アキュムレータ４１は、取り付け部材１６を介して圧縮機１１に固定されている。第２アキュムレータ４２は、底板８１に固定されている。
【００４０】
第１冷媒配管５０は、ガス側閉鎖弁３０と第２アキュムレータ４２とを接続している。第２冷媒配管９２は、第２アキュムレータ４２と第１アキュムレータ４１とを接続している。第３冷媒配管９３は、第１アキュムレータ４１と圧縮機１１の吸入側とを接続している。第４冷媒配管９４は、圧縮機１１の吐出側と室外熱交換器１２とを接続している。第５冷媒配管９５は、室外熱交換器１２と液側閉鎖弁３１とを接続している。
【００４１】
図７に示すように、圧縮機１１及び第１アキュムレータ４１には、第１防音材６１が巻かれる。さらに、第１防音材６１で巻かれた圧縮機１１及び第１アキュムレータ４１と、第２アキュムレータ４２とが、第２防音材６２で巻かれる。第１防音材６１及び第２防音材６２は、振動、騒音を抑制するものである。第１防音材６１及び第２防音材６２は、例えばガラス繊維やゴムを含む。
【００４２】
ガス側閉鎖弁３０及び液側閉鎖弁３１は、取り付け板１７に設けられている。取り付け板１７は、底板８１などに固定されている。ガス冷媒連絡配管１８は、ガス側閉鎖弁３０に接続される。液冷媒連絡配管１９は、液側閉鎖弁３１に接続される。
【００４３】
（３−１）第１冷媒配管
次に、第１冷媒配管５０の構成について詳述する。
【００４４】
第１冷媒配管５０は、第１部５１と、第１曲がり部５１Ｒと、第２部５２と、第２曲がり部５２Ｒと、第３部５３と、第３曲がり部５３Ｒと、第４部５４と、を有する。室内ユニット２０からガス冷媒連絡配管１８を経由して室外ユニット１０に戻ってきたガス冷媒は、ガス側閉鎖弁３０から第１冷媒配管５０を通って、第２アキュムレータ４２へと流れる。以下、第１冷媒配管５０の各部の説明で、上流、下流という表現を用いるが、上流はガス側閉鎖弁３０の側を意味し、下流は、第２アキュムレータ４２側（すなわち圧縮機１１側）を意味する。
【００４５】
第１部５１は、ガス側閉鎖弁３０に接続される上流端５１ａから、右側板８４に沿って前後方向（奥行方向）に延びる。
【００４６】
第１曲がり部５１Ｒは、第１部５１の下流端５１ｂから延び、右側板８４の側に向くように曲がっている。
【００４７】
第２部５２は、第１曲がり部５１Ｒの下流端５１Ｒｂから右側板８４に向かって延びる。第１曲がり部５１Ｒの下流端５１Ｒｂは、第１曲がり部５１Ｒの第１部５１の側の上流端５１Ｒａとは反対側の端である。
【００４８】
第２曲がり部５２Ｒは、第２部５２の下流端５２ｂから延びている。第２部５２の下流端５２ｂは、第２部５２の第１曲がり部５１Ｒの側の上流端５２ａとは反対側の端である。
【００４９】
第３部５３は、第２曲がり部５２Ｒの下流端５２Ｒｂから、右側板８４に近づかないように延びる。具体的には、第３部５３は、第２曲がり部５２Ｒの下流端５２Ｒｂから、右側板８４に沿って上に向かって延びる。第２曲がり部５２Ｒの下流端５２Ｒｂは、第２曲がり部５２Ｒの第２部５２の側の上流端５２Ｒａとは反対側の端である。
【００５０】
第３曲がり部５３Ｒは、第３部５３の下流端５３ｂから延びる。第３部５３の下流端５３ｂは、第３部５３の第２曲がり部５２Ｒの側の上流端５３ａとは反対側の端である。
【００５１】
第４部５４は、第３曲がり部５３Ｒの下流端５３Ｒｂから、右側板８４から離れるように延びる。第３曲がり部５３Ｒの下流端５３Ｒｂは、第３曲がり部５３Ｒの第３部５３の側の上流端５３Ｒａとは反対側の端である。
【００５２】
第４部５４の下流側には、さらに２つの曲がり部や直線部がある。そして、第１冷媒配管５０の下流端は、第２アキュムレータ４２に接続されている。
【００５３】
なお、第１部５１、第２部５２、第３部５３及び第４部５４は、直線状の部分であり、第１曲がり部５１Ｒ、第２曲がり部５２Ｒおよび第３曲がり部５３Ｒは、第１冷媒配管５０を構成する銅管において、曲げられた部分である。
【００５４】
（３−２）正面視における圧縮機、ガス側閉鎖弁、右側板などの配置
図２や図４に示すように、正面視において、圧縮機１１、第１アキュムレータ４１、第２アキュムレータ４２、ガス側閉鎖弁３０および右側板８４は、左から順に、圧縮機１１、第２アキュムレータ４２、第１アキュムレータ４１、ガス側閉鎖弁３０、右側板８４の順に配置されている。そして、圧縮機１１や第１アキュムレータ４１と、右側板８４との間のスペースは、圧縮機１１等の大型化に伴い、小さくなっている。さらに、ガス側閉鎖弁３０の接続口が、右側板８４から少し離れており、且つ、正面側に向いている。
【００５５】
このような室外ユニット１０内の各部品の配置において、第１冷媒配管５０は、第１曲がり部５１Ｒによって第２部５２が右側板８４に向かうようにして、上に向かって延びる第３部５３が圧縮機１１から離れるようにしている。これにより、第１冷媒配管５０の第３部５３が圧縮機１１や第１アキュムレータ４１から離れて、右側板８４に近づいている。
【００５６】
（３−３）防音材
図７を用いて、第１防音材６１及び第２防音材６２について詳述する。
【００５７】
第１防音材６１及び第２防音材６２によって、圧縮機１１、第１アキュムレータ４１、第２アキュムレータ４２が、二重に巻かれている。第１防音材６１は、圧縮機１１及び第１アキュムレータ４１を囲っている。第２防音材６２は、圧縮機１１及び第１アキュムレータ４１を巻いた第１防音材６１と、第２アキュムレータ４２とを囲うように巻かれている。
【００５８】
上述のように、圧縮機１１や第１アキュムレータ４１と、右側板８４との間のスペースは、圧縮機１１などの大型化に伴って小さくなってきている（図７参照）。そして、ガス側閉鎖弁３０の接続口は、右側板８４から少し離れている。
【００５９】
しかし、図４に示すように、圧縮機１１や第１アキュムレータ４１と、右側板８４との間で上下に延びる第１冷媒配管５０の第３部５３は、第１曲がり部５１Ｒによって第２部５２が右側板８４に向かうという第１冷媒配管５０の構成を採ることによって、右側板８４に近づいている。
【００６０】
このため、図７に示すように、第１アキュムレータ４１と右側板８４との間に、ある程度の隙間が確保され、その隙間を利用して第１防音材６１及び第２防音材６２を巻く作業ができるようになっている。すなわち、室外ユニット１０では、製造時あるいはメンテナンス時の作業性が確保されている。
【００６１】
（４）空気調和装置の室外ユニットの特徴
従来から、空気調和装置の室外ユニットは、その小型化が求められている。
【００６２】
ただ、ケーシングのサイズが小さくなったり、内蔵する圧縮機のサイズが大きくなったりすると、圧縮機と冷媒配管との間の隙間が狭くなる。このような場合、例えば、圧縮機の周りに防音材を巻くときに、その作業を行い難いという問題が生じる。
【００６３】
そして、本実施形態に係る空気調和装置１００の室外ユニット１０でも、上述のように、ガス側閉鎖弁３０の配置などの原因もあって、圧縮機１１や第１アキュムレータ４１の周りのスペースが小さくなっている（図７参照）。
【００６４】
しかし、室外ユニット１０では、ガス側閉鎖弁３０と第２アキュムレータ４２とを接続する第１冷媒配管５０を曲げて、ガス側閉鎖弁３０から正面側に延びる第１部５１よりも、第１アキュムレータ４１と右側板８４との間を上に延びる第３部５３のほうが、正面視において右側板８４に近づくようにしている（図３及び図４参照）。
【００６５】
これにより、図７に示すように、圧縮機１１や第１アキュムレータ４１の周りに第１防音材６１及び第２防音材６２を巻く作業を行うときにも、その作業性が確保される。すなわち、室外ユニット１０では、製造時あるいはメンテナンス時の作業性が良好である。
【００６６】
また、室外ユニット１０では、圧縮機１１や第１アキュムレータ４１の周りのスペースが確保されているため、防音材を多重に巻くこともできる。
【００６７】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００６８】
１０    室外ユニット（冷凍装置の熱源ユニット）
１１    圧縮機
１２    室外熱交換器
１３    室外ファン
３０    ガス側閉鎖弁
４１    第１アキュムレータ
５０    第１冷媒配管
５１    第１部
５１Ｒ  第１曲がり部
５２    第２部
５２Ｒ  第２曲がり部
５３    第３部
５３Ｒ  第３曲がり部
５４    第４部
６１    第１防音材
６２    第２防音材
８０    ケーシング
８４    右側板（側板）
８８    仕切り板
９０    冷媒回路
１００  空気調和装置（冷凍装置）
Ｓ１    第１空間
Ｓ２    第２空間
【先行技術文献】
【特許文献】
【００６９】
【特許文献１】実開平２−７０１３６号公報
【図１】
2019120450.tif 000003
【図２】
2019120450.tif 000004
【図３】
2019120450.tif 000005
【図４】
2019120450.tif 000006
【図５】
2019120450.tif 000007
【図６】
2019120450.tif 000008
【図７】
2019120450.tif 000009